(57)【要約】【課題】板状導光体を備えた車両用灯具において、灯具点灯時の意匠性を高める。【解決手段】棒状導光体４２を介して板状導光体３０の湾曲部３４に入射した光源４０からの光を、その第１板面３４ｂに形成された複数の反射素子３４ｓで全反射させた後、その第２板面３４ａから灯具前方へ向けて出射させる構成とする。その際、複数の反射素子３４ｓを所要方向に延びる複数のラインＬの各々に沿って連続的に並んだ状態で配置することにより、板状導光体３０が各ラインＬに沿って線状に光って見えるようにする。その上で、各反射素子３４ｓの表面形状を凹球面状に設定することにより、各反射素子３４ｓでの全反射があらゆる方向へ向けて略均等に行われるようにする。そしてこれにより、板状導光体３０を観察する際の視線方向を大きく変化させても、板状導光体３０がラインＬに沿って線状に光って見える状態を維持し、あたかも光ファイバーが光って見えるようにする。【選択図】図６
2019164977.tif 000002
【特許請求の範囲】
【請求項１】
光源と板状導光体とを備えた車両用灯具において、
上記板状導光体は、該板状導光体に入射した上記光源からの光を、該板状導光体の第１板面に形成された複数の反射素子で全反射させた後、該板状導光体の第２板面から灯具前方へ向けて出射させるように構成されており、
上記複数の反射素子は、所要方向に延びるラインに沿って連続的に並んだ状態で配置されており、
上記各反射素子は、略凹球面状または略凸球面状の表面形状を有している、ことを特徴とする車両用灯具。
【請求項２】
上記複数の反射素子は、上記ライン上において上記所要方向と交差する方向に複数個ずつ並列に並んだ状態で配置されている、ことを特徴とする請求項１記載の車両用灯具。
【請求項３】
上記第１板面は、少なくとも上記複数の反射素子が形成された領域が曲面状に形成されている、ことを特徴とする請求項１または２記載の車両用灯具。
【請求項４】
上記ラインは、上記所要方向と交差する方向に間隔をおいて複数本配置されている、ことを特徴とする請求項１または２記載の車両用灯具。
【請求項５】
棒状導光体を備えており、
上記棒状導光体は、上記板状導光体における上記所要方向の端面に沿って延びた状態で配置されており、
上記光源は、上記棒状導光体に光を入射させるように配置されており、
上記棒状導光体は、該棒状導光体に入射した上記光源からの光を上記板状導光体に対して上記所要方向の端面から入射させるように構成されている、ことを特徴とする請求項１〜４いずれか記載の車両用灯具。
【請求項６】
上記光源および上記板状導光体は、灯具前後方向に間隔をおいた状態で複数組配置されている、ことを特徴とする請求項１〜５いずれか記載の車両用灯具。
【請求項７】
第２光源と第２棒状導光体とを備えており、
上記板状導光体は、上記所要方向と交差する方向の端面として前端面および後端面を有しており、
上記第２棒状導光体は、上記板状導光体の後端面に沿って延びた状態で配置されており、
上記第２光源は、上記第２棒状導光体に光を入射させるように配置されており、
上記第２棒状導光体は、該第２棒状導光体に入射した上記第２光源からの光を上記板状導光体に対して上記後端面から入射させるように構成されており、
上記板状導光体は、該板状導光体に入射した上記第２光源からの光を上記前端面から灯具前方へ向けて出射させるように構成されている、ことを特徴とする請求項１〜６いずれか記載の車両用灯具。
【請求項８】
上記第１板面に、複数の補助反射素子が、上記ラインに沿って配置された上記複数の反射素子と隣接する位置において上記ラインに沿って連続的に並んだ状態で配置されており、
上記複数の補助反射素子は、上記所要方向に関して階段状に形成されている、ことを特徴とする請求項１〜７いずれか記載の車両用灯具。
【請求項９】
上記ラインに沿って配置された複数の上記補助反射素子は、上記ラインに沿って配置された上記複数の反射素子によって上記所要方向と交差する方向の両側から挟まれた状態で配置されている、ことを特徴とする請求項８記載の車両用灯具。
【請求項１０】
上記ライン上において互いに隣接する上記複数の補助反射素子と上記複数の補助反射素子とが、上記所要方向に関して半ピッチずれた状態で配置されている、ことを特徴とする請求項８または９記載の車両用灯具。
【発明の詳細な説明】
【技術分野】
【０００１】
本願発明は、板状導光体を備えた車両用灯具に関するものである。
【背景技術】
【０００２】
従来より、板状導光体に入射した光源からの光を、その第１板面に形成された複数の反射素子で全反射させた後、その第２板面から灯具前方へ向けて出射させるように構成された車両用灯具が知られている。
【０００３】
「特許文献１」には、このような車両用灯具として、板状導光体の後端面に沿って配置された複数の光源からの出射光を、その後端面から板状導光体に入射させるように構成されたものが記載されている。
【先行技術文献】
【特許文献】
【０００４】
【特許文献１】特開２０１３−１６３８６号公報
【発明の概要】
【発明が解決しようとする課題】
【０００５】
上記「特許文献１」に記載された構成を採用することにより、灯具正面視において板状導光体が略均一に発光して見えるようにすることが可能となる。
【０００６】
一方、車両用灯具として側面発光型の光ファイバーを備えた構成とすれば、光ファイバーが線状に光って見えることにより灯具点灯時の意匠性を高めることが可能となるが、光源からの出射光を光ファイバーに対してその端面から入射させるための具体的な構造を実現することは容易でない。
【０００７】
これに対し、板状導光体を備えた車両用灯具において、その板状導光体の構成として、灯具後方側の板面に細溝状の反射素子が形成された構成や複数の反射素子が直列配置で形成された構成あるいは灯具前方側の板面にシボ加工が施された構成とすれば、線状発光を実現することが可能となる。
【０００８】
しかしながら、前二者の構成では板状導光体が線状に光って見える視線方向が限られてしまい、後者の構成では十分な明るさを確保することができない。したがって、光ファイバーのような光り方を実現することはできず、このため灯具点灯時の意匠性を高めることができない。
【０００９】
本願発明は、このような事情に鑑みてなされたものであって、板状導光体を備えた車両用灯具において、灯具点灯時の意匠性を高めることができる車両用灯具を提供することを目的とするものである。
【課題を解決するための手段】
【００１０】
本願発明は、板状導光体の構成に工夫を施すことにより、上記目的達成を図るようにしたものである。
【００１１】
すなわち、本願発明に係る車両用灯具は、
光源と板状導光体とを備えた車両用灯具において、
上記板状導光体は、該板状導光体に入射した上記光源からの光を、該板状導光体の第１板面に形成された複数の反射素子で全反射させた後、該板状導光体の第２板面から灯具前方へ向けて出射させるように構成されており、
上記複数の反射素子は、所要方向に延びるラインに沿って連続的に並んだ状態で配置されており、
上記各反射素子は、略凹球面状または略凸球面状の表面形状を有している、ことを特徴とするものである。
【００１２】
上記「光源」の種類は特に限定されるものではなく、例えば発光ダイオードや白熱バルブ等が採用可能である。
【００１３】
上記「板状導光体」は、該板状導光体に入射した光源からの光を、その第１板面に形成された複数の反射素子で全反射させた後、その第２板面から灯具前方へ向けて出射させるように構成されていれば、その具体的な形状は特に限定されるものではない。
【００１４】
上記「所要方向」の具体的な方向は特に限定されるものではない。
【００１５】
上記「ラインに沿って連続的に並んだ状態」には、複数の反射素子が互いに密着している状態が含まれることはもちろんであるが、複数の反射素子で全反射した光源からの光によって板状導光体が線状に光って見える範囲内であれば、複数の反射素子が互いに僅かに離れている状態も含まれる。
【００１６】
上記「略凹球面状」とは、凹曲面状であって球面またはこれに近い形状（例えば楕円球面や多面体等）を有するものを意味するものである。
【００１７】
上記「略凸球面状」とは、凸曲面状であって球面またはこれに近い形状（例えば楕円球面や多面体等）を有するものを意味するものである。
【発明の効果】
【００１８】
本願発明に係る車両用灯具は、板状導光体に入射した光源からの光を、その第１板面に形成された複数の反射素子で全反射させた後、その第２板面から灯具前方へ向けて出射させる構成となっているが、複数の反射素子は所要方向に延びるラインに沿って連続的に並んだ状態で配置されており、かつ、各反射素子は略凹球面状または略凸球面状の表面形状を有しているので、次のような作用効果を得ることができる。
【００１９】
すなわち、板状導光体の第１板面には複数の反射素子が上記ラインに沿って連続的に並んだ状態で配置されているので、板状導光体に入射した光源からの光が各反射素子で全反射して第２板面から灯具前方へ向けて出射することにより、板状導光体が上記ラインに沿って線状に光って見えるようにすることができる。
【００２０】
その際、板状導光体の第１板面に形成された各反射素子は略凹球面状または略凸球面状の表面形状を有しているので、該反射素子での全反射はあらゆる方向へ向けて略均等に行われることとなる。このため、板状導光体を観察する際の視線方向を大きく変化させても、板状導光体が上記ラインに沿って線状に光って見える状態を維持することができる。したがって、灯具点灯時（すなわち光源の点灯時）にあたかも光ファイバーが光って見えるようにすることができ、これにより車両用灯具の意匠性を高めることができる。
【００２１】
このように本願発明によれば、板状導光体を備えた車両用灯具において、灯具点灯時の意匠性を高めることができる。
【００２２】
その際、上記ラインに沿って配置された複数の反射素子が、灯具点灯時にあたかも光ファイバーが光って見えるようにするためには、上記ラインの幅を０．２５〜２ｍｍ程度の値に設定することが好ましい。
【００２３】
また、上記各反射素子は、略凹球面状に形成されていてもよいし略凸球面状に形成されていてもよいが、略凹球面状に形成されている場合の方が略凸球面状に形成されている場合よりも該反射素子での全反射効率を高めることができるので、より好ましい。
【００２４】
上記構成において、複数の反射素子が上記ライン上において上記所要方向と交差する方向に複数個ずつ並列に並んだ状態で配置された構成とすれば、上記ラインがより均一な明るさで光って見えるようにすることができる。
【００２５】
その際、並列に配置された反射素子の個数を２〜１０個程度に設定することが、上記ラインの均一発光と反射素子の表面形状の加工精度とを両立させる観点から好ましい。
【００２６】
上記構成において、第１板面として、少なくとも複数の反射素子が形成された領域が曲面状に形成されている構成とすれば、上記ラインが３次元的に湾曲して延びるように配置された構成とすることが容易に可能となる。そしてこれにより、灯具点灯時にあたかも光ファイバーが光って見えるようにするという意匠上の演出効果を高めることができる。
【００２７】
上記構成において、上記ラインが上記所要方向と交差する方向に間隔をおいて複数本配置された構成とすれば、灯具点灯時にあたかも複数本の光ファイバーが離散的に配置された状態で光って見えるようにすることができ、これにより意匠上の演出効果をさらに高めることができる。
【００２８】
その際、複数本の光ファイバーが離散的に配置された状態で光って見える効果を高めるためには、上記ライン相互の上記所要方向の間隔を上記ラインの幅よりも大きい値に設定することが好ましい。
【００２９】
上記構成において、棒状導光体を備えた構成とした上で、この棒状導光体が板状導光体における上記所要方向の端面に沿って延びた状態で配置されるとともに、光源がこの棒状導光体に光を入射させるように配置された構成とし、さらに、この棒状導光体に入射した光源からの光を板状導光体に対して上記所要方向の端面から入射させるように構成すれば、次のような作用効果を得ることができる。
【００３０】
すなわち、このように光源からの光を棒状導光体を介して板状導光体に入射させる構成とすることにより、光源の配置自由度を高めることができる。また、このような構成とすることにより、上記ラインが上記所要方向と交差する方向に間隔をおいて複数本配置されている場合においても、これら複数本のラインに沿って配置された複数の反射素子に光源からの光を効率良く到達させることが容易に可能となる。
【００３１】
上記構成において、光源および板状導光体が灯具前後方向に間隔をおいた状態で複数組配置された構成とすれば、各板状導光体において上記ラインに沿って線状に光って見える部分が灯具前後方向の複数箇所に存在することとなるので、灯具点灯時に奥行き感のある発光状態を演出することができる。
【００３２】
上記構成において、第２光源と第２棒状導光体とを備えた構成とするとともに、板状導光体として上記所要方向と交差する方向の端面として前端面および後端面を有する構成とした上で、第２棒状導光体が板状導光体の後端面に沿って延びた状態で配置されるとともに、第２光源がこの第２棒状導光体に光を入射させるように配置された構成とし、さらに、この第２棒状導光体に入射した第２光源からの光を板状導光体に対してその後端面から入射させるように構成するともに、板状導光体に入射した第２光源からの光をその前端面から灯具前方へ向けて出射させるように構成すれば、次のような作用効果を得ることができる。
【００３３】
すなわち、灯具点灯時には、光源および第２光源の同時点灯によって板状導光体が上記ラインに沿って線状に光って見えるとともに板状導光体の前端面が帯状に見えるようにすることができ、これにより車両用灯具の意匠性をさらに高めることができる。
【００３４】
上記構成において、さらに、板状導光体の第１板面に、複数の補助反射素子が、上記ラインに沿って配置された複数の反射素子と隣接する位置において上記ラインに沿って連続的に並んだ状態で配置された構成とした上で、これら複数の補助反射素子が上記所要方向に関して階段状に形成された構成とすれば、次のような作用効果を得ることができる。
【００３５】
すなわち、板状導光体の第１板面には複数の補助反射素子が上記ラインに沿って連続的に並んだ状態で追加配置されているので、板状導光体に入射した光源からの光が各補助反射素子で全反射して第２板面から灯具前方へ向けて出射する際、その出射光に指向性を持たせることができ、これにより車両用灯具としての配光性能を高めることが容易に可能となる。
【００３６】
その際、複数の補助反射素子は、上記ラインに沿って配置された複数の反射素子と隣接する位置において上記ラインに沿って配置されているので、灯具点灯時にあたかも光ファイバーが光って見えるようにするという意匠上の演出効果を維持した上で、車両用灯具としての配光性能を高めることができる。
【００３７】
このような構成を採用した場合において、上記ラインに沿って配置された複数の補助反射素子が、上記ラインに沿って配置された複数の反射素子によって上記所要方向と交差する方向の両側から挟まれた状態で配置された構成とすれば、灯具点灯時にあたかも光ファイバーが光って見えるようにするという意匠上の演出効果を高めた上で、車両用灯具としての配光性能を高めることができる。
【００３８】
また、このような構成を採用した場合において、上記ライン上において互いに隣接する複数の反射素子と複数の補助反射素子とが、上記所要方向に関して半ピッチずれた状態で配置された構成とすれば、上記ライン上に複数の補助反射素子が追加配置されたことによって上記ラインの幅が広くなってしまうのを抑制することができる。
【図面の簡単な説明】
【００３９】
【図１】本願発明の第１実施形態に係る車両用灯具を示す正面図
【図２】図１のII−II線断面図
【図３】上記車両用灯具の灯具ユニットを示す斜視図
【図４】上記灯具ユニットにおける板状導光体の要部を示す、図３のIV方向矢視図
【図５】図４のＶ−Ｖ線断面図
【図６】上記灯具ユニットを灯具点灯状態で示す正面図
【図７】上記第１実施形態の第１変形例を示す、図３と同様の図
【図８】上記第１変形例の作用を示す、図６と同様の図
【図９】上記第１実施形態の第２変形例を示す、図４と同様の図
【図１０】上記第１実施形態の第３および第４変形例を示す、図４と略同様の図
【図１１】本願発明の第２実施形態に係る車両用灯具の灯具ユニットを示す側面図
【図１２】（ａ）は図１１のXIIa部を灯具後方側から見て示す図、（ｂ）は（ａ）のｂ−ｂ線断面図、（ｃ）は（ａ）のｃ−ｃ線断面図
【図１３】上記第２実施形態の第１〜第３変形例を示す、図１２（ａ）と同様の図
【図１４】上記第２実施形態の第４変形例を示す、図１１と同様の図
【図１５】図１４のXV−XV線断面図であって、（ａ）は補助反射素子の断面形状を示す図、（ｂ）は反射素子の断面形状を示す図
【図１６】本願発明の第３実施形態に係る車両用灯具の灯具ユニットにおける板状導光体の要部を示す、図５と略同様の図
【発明を実施するための形態】
【００４０】
以下、図面を用いて、本願発明の実施の形態について説明する。
【００４１】
まず、本願発明の第１実施形態について説明する。
【００４２】
図１は、本実施形態に係る車両用灯具１０を示す正面図であり、図２は図１のII−II線断面図である。
【００４３】
これらの図において、Ｘで示す方向が車両用灯具１０としての「前方」（車両としては「後方」）であり、Ｙで示す方向が「右方向」（車両としても「右方向」）であり、Ｚで示す方向が「上方向」である。これら以外の図においても同様である。
【００４４】
本実施形態に係る車両用灯具１０は、車両の右後端部に配置されるテールランプであって、ランプボディ１２とその前端開口部に取り付けられた素通し状の透光カバー１４とで形成される灯室内に、灯具ユニット２０が組み込まれた構成となっている。
【００４５】
透光カバー１４は、その左端部から右端部へ向けて灯具後方側へ回り込むように形成されている。
【００４６】
図３は、灯具ユニット２０を取り出して示す斜視図である。
【００４７】
同図にも示すように、灯具ユニット２０は、板状導光体３０と、上下１対の光源４０および棒状導光体４２と、第２光源５０および第２棒状導光体５２とを備えており、上下対称の構成を有している。
【００４８】
板状導光体３０は、透明樹脂製（例えばアクリル樹脂製）の部材であって、図示しない支持構造によりランプボディ１２に支持されている。この板状導光体３０は、水平面に沿って車幅方向に延びる平板部３２と、この平板部３２から延びる上下１対の湾曲部３４とを備えた構成となっている。
【００４９】
平板部３２は、その左半部においては一定の前後幅で形成されているが、その右半部においては右端縁へ向けて徐々に前後幅が狭くなるように形成されている。  すなわち、平板部３２の前端面３２ａは、その左端部から右端部へ向けて灯具斜め後方側に延びるように形成されており、その左半部は平面状の鉛直面で構成されているが、その右半部は右端縁へ向けて灯具後方側へ湾曲する凸曲面状の鉛直面で構成されている。一方、平板部３２の後端面３２ｂは、前端面３２ａの左半部と平行に延びる平面状の鉛直面で構成されているが、その右端部は右端縁へ向けて灯具後方側へ湾曲する凹曲面状の鉛直面で構成されている。
【００５０】
上下１対の湾曲部３４は、平板部３２の前端面３２ａから上下両方向へ向けて湾曲して延びるように形成されている。すなわち、各湾曲部３４は、その後面を構成する第１板面３４ｂが凹曲面状に形成されており、その前面を構成する第２板面３４ａが凸曲面状に形成されている。
【００５１】
具体的には、上側に位置する湾曲部３４は、平板部３２の前端面３２ａの右半部における上部領域から水平方向に近い斜め上方向へ延びた後、徐々に上向き角度が大きくなるように形成されている。その際、この湾曲部３４は、その基端部から先端部へ向けて徐々に肉厚が減少するように形成されており、その最先端部３４ｃは前端面３２ａの右半部と略平行な鉛直面に沿って延びるように形成されている。また、この湾曲部３４の左端面３４ｄは、平板部３２の前端面３２ａから滑らかに湾曲して延びるように形成されている。
【００５２】
この湾曲部３４の第１板面３４ｂには、複数の反射素子３４ｓが形成されている。その際、複数の反射素子３４ｓは、所要方向に延びるラインＬに沿って連続的に並んだ状態で配置されている。
【００５３】
上記所要方向は湾曲部３４の基端部から先端部へ向かう方向に設定されており、ラインＬは湾曲部３４の基端部から最先端部３４ｃの近傍位置まで曲線状に延びるように配置されている。このラインＬは、上記所要方向と交差する水平方向（具体的には平板部３２の前端面３２ａの右半部が延びる方向）に略等間隔をおいて複数本（例えば５〜１０本程度）配置されている。
【００５４】
下側に位置する湾曲部３４も、上側に位置する湾曲部３４と同様の構成を有している。
【００５５】
なお、各湾曲部３４における複数の反射素子３４ｓの具体的な配置やその具体的な形状については後述する。
【００５６】
上下１対の光源４０および棒状導光体４２は、上下１対の湾曲部３４の上下両側に配置されている。
【００５７】
上側に位置する棒状導光体４２は、上側に位置する湾曲部３４の先端面３４ｃ１（すなわち最先端部３４ｃの上面）の上方近傍において該先端面３４ｃ１に沿って湾曲して延びるように配置されている。
【００５８】
この棒状導光体４２は、円形の断面形状を有しており、その外周面の上部には複数の反射素子４２ｓが長手方向に連続的に形成されている。この棒状導光体４２は、図示しない支持構造によりランプボディ１２に支持されている。
【００５９】
上側に位置する光源４０は、棒状導光体４２の右端面４２ａの近傍に配置されている。この光源４０は、赤色発光ダイオードであって、その発光面を棒状導光体４２の右端面４２ａへ向けた状態で基板４４に搭載されている。この基板４４は図示しない支持構造によりランプボディ１２に支持されている。
【００６０】
棒状導光体４２は、その右端面４２ａから入射した光源４０からの光を、その左端面へ向けて導きながら複数の反射素子４２ｓで全反射させて該棒状導光体４２から下方へ向けて出射させ、板状導光体３０の湾曲部３４に対してその先端面３４ｃ１から入射させるようになっている。
【００６１】
そして、板状導光体３０の湾曲部３４においては、その先端面３４ｃ１から入射した棒状導光体４２からの光を、該湾曲部３４の基端部へ向けて導きながら、その第１板面３４ｂに形成された複数の反射素子３４ｓで全反射させて、その第２板面３４ａから灯具前方へ向けて出射させるようになっている。
【００６２】
下側に位置する光源４０および棒状導光体４２は、上側に位置する光源４０および棒状導光体４２を上下反転させた状態で配置されている。
【００６３】
第２光源５０および第２棒状導光体５２は、板状導光体３０の平板部３２の灯具後方側に配置されている。
【００６４】
第２棒状導光体５２は、平板部３２の後端面３２ｂの灯具後方近傍において該後端面３２ｂに沿って延びるように配置されている。この第２棒状導光体５２は、円形の断面形状を有しており、その外周面の後部には複数の反射素子５２ｓが長手方向に連続的に形成されている。この第２棒状導光体５２は、図示しない支持構造によりランプボディ１２に支持されている。
【００６５】
第２光源５０は、第２棒状導光体５２の右端面５２ａの近傍に配置されている。この第２光源５０は、赤色発光ダイオードであって、その発光面を第２棒状導光体５２の右端面５２ａへ向けた状態で基板５４に搭載されている。この基板５４は図示しない支持構造によりランプボディ１２に支持されている。
【００６６】
第２棒状導光体５２は、その右端面５２ａから入射した第２光源５０からの光を、その左端面へ向けて導きながら複数の反射素子５２ｓで全反射させて該第２棒状導光体５２から灯具前方へ向けて出射させ、板状導光体３０の平板部３２に対してその後端面３２ｂから入射させるようになっている。
【００６７】
そして、板状導光体３０の平板部３２においては、その後端面３２ｂから入射した第２棒状導光体５２からの光を、その前端面３２ａへ導いて該前端面３２ａから灯具前方へ向けて出射させるようになっている。
【００６８】
ただし、この平板部３２は、その前端面３２ａの右半部における上部領域および下部領域が上下１対の湾曲部３４に接続されているので、平板部３２の前端面３２ａに到達した第２棒状導光体５２からの光の一部は上下１対の湾曲部３４に導かれることとなる。そして、各湾曲部３４においては、その基端部から入射した第２棒状導光体５２からの光を、該湾曲部３４の先端部へ向けて導きながら、その第１板面３４ｂに形成された複数の反射素子３４ｓで全反射させて、その第２板面３４ａから灯具前方へ向けて出射させるようになっている。
【００６９】
図１および２に示すように、上記灯室内には、灯具ユニット２０の板状導光体３０を部分的に覆うエクステンション部材１６および上下１対のカバー部材１８が配置されている。
【００７０】
エクステンション部材１６は、板状導光体３０の平板部３２を上下１対の湾曲部３４よりも灯具後方側の位置において覆うパネル状の部材として構成されている。このエクステンション部材１６には、平板部３２を囲む横長矩形状の開口部１６ａが形成されている。このエクステンション部材１６は、灯具正面視において横長矩形状の外形形状を有しており、その左右両端部においてランプボディ１２に支持されている。
【００７１】
上下１対のカバー部材１８は、エクステンション部材１６の上下両側において上下１対の棒状導光体４２および光源４０と板状導光体３０の上下１対の湾曲部３４の最先端部３４ｃとを覆うパネル状の部材として構成されている。各カバー部材１８には、湾曲部３４の最先端部３４ｃを囲むようにして略円弧状に延びる開口部１８ａが形成されている。各カバー部材１８は、灯具正面視において横長矩形状の外形形状を有しており、エクステンション部材１６あるいはランプボディ１２に支持されている。
【００７２】
図４は、板状導光体３０の要部を示す、図３のIV方向矢視図である。また、図５は、板状導光体３０の要部をラインＬに沿った断面で示す、図４のＶ−Ｖ線断面図である。
【００７３】
これらの図に示すように、各湾曲部３４の第１板面３４ｂに形成された複数の反射素子３４ｓは、複数のラインＬの各々に沿って１列で連続的に並んだ状態で配置されている。その際、複数の反射素子３４ｓは、各ラインＬ上において互いに密着した状態で配置されている。
【００７４】
各反射素子３４ｓは、凹球面状の表面形状を有しており、その外周縁形状は同一サイズの円形形状に設定されている。その際、各反射素子３４ｓの外径Ｄは上記凹球面の半径Ｒの２倍弱の値（具体的にはＤ＝０．２５〜２ｍｍ程度の値（例えば１ｍｍ程度の値）に設定されている。
【００７５】
これにより各ラインＬは、各反射素子３４ｓの外径Ｄと同じ幅Ｗを有するとともに各反射素子３４ｓの外径Ｄと同じピッチＰで複数の反射素子３４ｓが直列に配置されたものとなっている。
【００７６】
複数のラインＬ相互の上記所要方向の間隔Ａは、各ラインＬの幅Ｗよりも大きい値（例えばＡ＝２Ｗ〜１０Ｗ程度の値）に設定されている。
【００７７】
図５に示すように、下側に位置する湾曲部３４においては、光源４０からの光が上向きに（すなわち湾曲部３４の基端部側へ向けて）導かれるとともに第２光源５０からの光が下向きに（すなわち湾曲部３４の先端部側へ向けて）導かれ、これらの光が各反射素子３４ｓに到達する。その際、各反射素子３４ｓには、図５に示す断面内の方向以外の方向からも光源４０および第２光源５０からの光が到達するので、これらの光は各反射素子３４ｓにおいてあらゆる方向に全反射して第２板面３４ａから灯具前方へ向けて出射する。上側に位置する湾曲部３４においても同様である。
【００７８】
図６は、灯具ユニット２０を灯具点灯状態で示す正面図である。
【００７９】
同図に示すように、上下１対の光源４０および第２光源５０が点灯した状態にある灯具ユニット２０を灯具正面方向（すなわち車両後方）から観察したとき、その板状導光体３０の平板部３２の前端面３２ａが光って見えるとともに上下１対の湾曲部３４に形成された複数の反射素子３４ｓが光って見える。
【００８０】
具体的には、平板部３２の前端面３２ａは、その後端面３２ｂから第２棒状導光体５２を介して入射した第２光源５０からの光が該前端面３２ａから灯具前方へ向けて出射することによって光って見える。
【００８１】
その際、平板部３２の前端面３２ａは、その左半部においては上下方向の全幅にわたって広幅で光って見えるが、その右半部においては上下１対の湾曲部３４の基端部に挟まれた部分が細幅で光って見える。
【００８２】
一方、各湾曲部３４に形成された複数の反射素子３４ｓは、棒状導光体４２を介して該湾曲部３４の先端面３４ｃ１から入射した光源４０からの光が、その基端部側へ導かれながら各反射素子３４ｓで全反射することによって、各ラインＬが全長にわたって略均一に光って見え、かつ、第２棒状導光体５２を介して平板部３２の後端面３２ｂから入射した第２光源５０からの光が、各湾曲部３４の基端部から先端部側へ導かれながら各反射素子３４ｓで全反射することによって、各ラインＬが全長にわたってより明るくかつより均一に光って見える。
【００８３】
さらにその際、各湾曲部３４の左端面３４ｄも、第２棒状導光体５２を介して平板部３２の後端面３２ｂから入射した第２光源５０からの光が、該湾曲部３４の基端部から先端部側へ導かれる途中で該左端面３４ｄに到達して灯具前方へ向けて出射することによって光って見える。
【００８４】
上述したとおり、灯具ユニット２０を灯具正面方向から観察したとき、各湾曲部３４に形成された複数の反射素子３４ｓは複数のラインＬの各々に沿って線状に光って見えるが、各反射素子３４ｓは凹球面状の表面形状を有しているので、灯具ユニット２０を観察する方向を灯具正面方向から外れた方向にずらした場合にも、光源４０および第２光源５０からの光が各反射素子３４ｓにおいてあらゆる方向に全反射することによって、複数の反射素子３４ｓが複数のラインＬの各々に沿って光って見える状態が維持される。
【００８５】
次に、本実施形態の作用効果について説明する。
【００８６】
本実施形態に係る車両用灯具１０は、板状導光体３０の各湾曲部３４に入射した光源４０からの光を、その第１板面３４ｂに形成された複数の反射素子３４ｓで全反射させた後、その第２板面３４ａから灯具前方へ向けて出射させる構成となっているが、複数の反射素子３４ｓは所要方向に延びるラインＬに沿って連続的に並んだ状態で配置されており、かつ、各反射素子３４ｓは略凹球面状の表面形状を有しているので、次のような作用効果を得ることができる。
【００８７】
すなわち、各湾曲部３４の第１板面３４ｂには複数の反射素子３４ｓがラインＬに沿って連続的に並んだ状態で配置されているので、各湾曲部３４に入射した光源４０からの光が各反射素子３４ｓで全反射して第２板面３４ａから灯具前方へ向けて出射することにより、各湾曲部３４がラインＬに沿って線状に光って見えるようにすることができる。
【００８８】
その際、各湾曲部３４の第１板面３４ｂに形成された各反射素子３４ｓは略凹球面状の表面形状を有しているので、該反射素子３４ｓでの全反射はあらゆる方向へ向けて略均等に行われることとなる。このため、板状導光体３０を観察する際の視線方向を大きく変化させても、各湾曲部３４がラインＬに沿って線状に光って見える状態を維持することができる。したがって、灯具点灯時（すなわち光源４０の点灯時）にあたかも光ファイバーが光って見えるようにすることができ、これにより車両用灯具１０の意匠性を高めることができる。
【００８９】
このように本実施形態によれば、板状導光体３０を備えた車両用灯具１０において、灯具点灯時の意匠性を高めることができる。
【００９０】
その際、本実施形態においては、ラインＬの幅が０．２５〜２ｍｍ程度の値に設定されているので、ラインＬに沿って配置された複数の反射素子３４ｓが灯具点灯時にあたかも光ファイバーが光って見えるようにするという意匠上の演出効果を高めることができる。
【００９１】
本実施形態においては、第１板面３４ｂが曲面状に形成されているので、ラインＬが３次元的に湾曲して延びるように配置されたものとすることができ、これにより灯具点灯時にあたかも光ファイバーが光って見えるようにするという意匠上の演出効果を一層高めることができる。
【００９２】
しかも本実施形態においては、ラインＬが上記所要方向と交差する方向に間隔をおいて複数本配置されているので、灯具点灯時にあたかも複数本の光ファイバーが離散的に配置された状態で光って見えるようにすることができ、これにより意匠上の演出効果をさらに高めることができる。
【００９３】
その際、本実施形態においては、ラインＬ相互の上記所要方向の間隔がラインＬの幅よりも大きい値に設定されているので、複数本の光ファイバーが離散的に配置された状態で光って見える効果を高めることができる。
【００９４】
また、本実施形態に係る車両用灯具１０は、その灯具ユニット２０として棒状導光体４０を備えており、この棒状導光体４０が各湾曲部３４の先端面３４ｃ１（すなわち上記所要方向の端面）に沿って延びた状態で配置されるとともに、光源４０がこの棒状導光体４２に光を入射させるように配置されており、そして、この棒状導光体４２に入射した光源４０からの光を各湾曲部３４に対してその先端面３４ｃ１から入射させる構成となっているので、次のような作用効果を得ることができる。
【００９５】
すなわち、このように光源４０からの光を棒状導光体４２を介して各湾曲部３４に入射させる構成とすることにより、光源４０の配置自由度を高めることができる。また、このような構成とすることにより、ラインＬが上記所要方向と交差する方向に間隔をおいて複数本配置されているにもかかわらず、これら複数本のラインＬに沿って配置された複数の反射素子３４ｓに光源４０からの光を効率良く到達させることが容易に可能となる。
【００９６】
さらに、本実施形態に係る車両用灯具１０は、その灯具ユニット２０として第２光源５０と第２棒状導光体５２とを備えているとともに、板状導光体３０の平板部３２が上記所要方向と交差する方向の端面として前端面３２ａおよび後端面３２ｂを有しており、第２棒状導光体５２が平板部３２の後端面３２ｂに沿って延びた状態で配置されるとともに、第２光源５０がこの第２棒状導光体５２に光を入射させるように配置されており、さらに、この第２棒状導光体５２に入射した第２光源５０からの光が平板部３２に対してその後端面３２ｂから入射するともに、平板部３２に入射した第２光源５０からの光がその前端面３２ａから灯具前方へ向けて出射する構成となっているので、次のような作用効果を得ることができる。
【００９７】
すなわち、灯具点灯時には、光源４０および第２光源５０の同時点灯によって板状導光体３０の各湾曲部３４が複数本のラインＬの各々に沿って線状に光って見えるとともに板状導光体３０の平板部３２の前端面３２ａが帯状に見えるようにすることができ、これにより車両用灯具１０の意匠性をさらに高めることができる。
【００９８】
しかも、本実施形態の板状導光体３０は、上下１対の湾曲部３４が平板部３２の前端面３２ａから上下両方向へ向けて湾曲して延びるように形成されているので、灯具点灯時、平板部３２の前端面３２ａが光ファイバーの束として光って見えるとともに、上下１対の湾曲部３４に形成された複数の反射素子３４ｓが光ファイバーの束から分岐して延びる複数の光ファイバーとして光って見えるようにすることができる。
【００９９】
その際、各湾曲部３４に形成された複数の反射素子３４ｓは、棒状導光体４２を介して該湾曲部３４の先端面３４ｃ１から入射した光源４０からの光が、その基端部側へ導かれながら各反射素子３４ｓで全反射するだけでなく、第２棒状導光体５２を介して平板部３２の後端面３２ｂから入射した第２光源５０からの光が、各湾曲部３４の基端部から先端部側へ導かれながら各反射素子３４ｓで全反射するようになっているので、各ラインＬが全長にわたってより明るくかつより均一に光って見えるようにすることができる。
【０１００】
また本実施形態においては、上下１対の湾曲部３４の左端面３４ｄについても、光ファイバーの束から分岐した光ファイバーの束として光って見えるようにすることができる。
【０１０１】
上記第１実施形態においては、車両用灯具１０がテールランプである場合について説明したが、テールランプ以外にも、ストップランプ、ターンシグナルランプ、クリアランスランプ、デイタイムランニングランプ等、車両に設けられる箇所や機能にかかわらず、上記第１実施形態と同様の構成を採用することにより上記第１実施形態と同様の作用効果を得ることができる。その際、例えば、車両用灯具１０をテールランプ＆ストップランプとして構成した上で、テールランプ点灯モードで光源４０を点灯させるとともにストップランプ点灯モードで第２光源５０を追加点灯させる構成とすることも可能である。
【０１０２】
次に、上記第１実施形態の変形例について説明する。
【０１０３】
まず、上記第１実施形態の第１変形例について説明する。
【０１０４】
図７は、本変形例に係る灯具ユニット１２０を示す、図３と同様の図である。
【０１０５】
同図に示すように、本変形例の基本的な構成は上記第１実施形態の場合と同様であるが、灯具ユニット１２０の構成として、板状導光体３０の灯具後方側に、板状導光体１３０ならびに上下２組の光源１４０および棒状導光体１４２が追加配置されている点で上記第１実施形態の場合と異なっている。
【０１０６】
板状導光体１３０は、板状導光体３０における上下１対の湾曲部３４と同様の構成を有する上下１対の湾曲部１３４が連結部１３６を介して一体的に形成された構成となっている。その際、上側に位置する湾曲部１３４は、上側に位置する湾曲部３４に対して左斜め上方向にずれた状態で配置されており、下側に位置する湾曲部１３４は、下側に位置する湾曲部３４に対して左斜め下方向にずれた状態で配置されている。
【０１０７】
上下２組の光源１４０および棒状導光体１４２は、上下２組の光源４０および棒状導光体４２の場合と同様の構成を有しており、また上下１対の湾曲部１３４との位置関係もこれらと同様に設定されている。
【０１０８】
図８は、灯具ユニット１２０を灯具点灯状態で示す正面図である。
【０１０９】
同図に示すように、上下１対の光源４０および第２光源５０と共に上下１対の光源１４０が点灯した状態にある灯具ユニット１２０を灯具正面方向から観察したとき、その板状導光体３０の平板部３２の前端面３２ａならびに上下１対の湾曲部３４に形成された複数の反射素子３４ｓおよびその左端面３４ｄと共に、板状導光体１３０の上下１対の湾曲部１３４に形成された複数の反射素子１３４ｓが光って見える。
【０１１０】
その際、板状導光体１３０の各湾曲部１３４に形成された複数の反射素子１３４ｓは、棒状導光体１４２を介して該湾曲部１３４の先端面１３４ｃ１から入射した光源１４０からの光が、その基端部側へ導かれながら各反射素子１３４ｓで全反射することによって、各ラインＬが全長にわたって略均一に光って見える。
【０１１１】
本変形例の構成を採用することにより、各板状導光体３０、１３０において複数のラインＬに沿って線状に光って見える部分が灯具前後方向の２箇所に存在することとなるので、灯具点灯時に奥行き感のある発光状態を演出することができる。
【０１１２】
上記第１変形例においては、板状導光体３０の灯具後方側に板状導光体１３０が配置されているものとして説明したが、板状導光体１３０の灯具後方側にさらに別の板状導光体が配置された構成とすることも可能である。
【０１１３】
次に、上記第１実施形態の第２変形例について説明する。
【０１１４】
図９は、本変形例に係る板状導光体２３０の要部を示す、図４と同様の図である。
【０１１５】
図９に示すように、本変形例の基本的な構成は上記第１実施形態の場合と同様であるが、板状導光体２３０の湾曲部２３４の第１板面２３４ｂに形成された複数の反射素子２３４ｓが、複数のラインＬの各々に沿って２列で連続的に並んだ状態で配置されている点で上記第１実施形態の場合と異なっている。
【０１１６】
本変形例においても、各反射素子２３４ｓは、上記第１実施形態の場合と同様、凹球面状の表面形状を有しており、その外周縁形状は同一サイズの円形形状に設定されている。
【０１１７】
その際、各ラインＬにおいて内周側に位置する複数の反射素子２３４ｓは、各ラインＬが延びる方向に互いに密着した状態で配置されている。また、各ラインＬにおいて外周側に位置する複数の反射素子２３４ｓは、内周側に位置する複数の反射素子２３４ｓに対して各ラインＬが延びる方向に半ピッチずれた状態で、内周側に位置する複数の反射素子２３４ｓに密着した状態で配置されている。このため、外周側に位置する複数の反射素子２３４ｓは、各ラインＬが延びる方向に互いに僅かに離れた状態で配置されている。
【０１１８】
これにより各ラインＬは、各反射素子２３４ｓの外径Ｄの２倍弱の幅Ｗを有するとともに各反射素子２３４ｓの外径Ｄの半分のピッチＰで複数の反射素子３４ｓが交互に配置されたものとなっている。その際、幅Ｗを上記第１実施形態の場合と同じ値に設定しようとした場合には、各反射素子２３４ｓの外径Ｄを上記第１実施形態の場合に対して半分程度の値に設定すればよい。
【０１１９】
本変形例においても、複数のラインＬ相互の上記所要方向の間隔Ａは、各ラインＬの幅Ｗよりも大きい値（例えばＡ＝２Ｗ〜１０Ｗ程度の値）に設定されている。
【０１２０】
本変形例のように、複数の反射素子２３４ｓが各ラインＬ上において上記所要方向と交差する方向に２個ずつ並列に並んだ状態で配置された構成とすれば、各ラインＬがより均一な明るさで光って見えるようにすることができる。
【０１２１】
特に、本変形例のように、内周側に位置する複数の反射素子２３４ｓと外周側に位置する複数の反射素子２３４ｓとが、各ラインＬが延びる方向に半ピッチずれた状態で交互に密着した状態で配置された構成とすることにより、各ラインＬがより均一な明るさでかつより明るく光って見えるようにすることができる。
【０１２２】
次に、上記第１実施形態の第３変形例について説明する。
【０１２３】
図１０（ａ）は、本変形例に係る板状導光体の要部を示す、図４と略同様の図である。
【０１２４】
同図（ａ）に示すように、本変形例の基本的な構成は上記第１実施形態の場合と同様であるが、本変形例においては、複数の反射素子３３４ｓが、直線状に延びるラインＬに沿って５列で連続的に並んだ状態で配置されている点で上記第１実施形態の場合と異なっている。
【０１２５】
本変形例においても、各反射素子３３４ｓは、上記第１実施形態の場合と同様、凹球面状の表面形状を有しており、その外周縁形状は同一サイズの円形形状に設定されている。
【０１２６】
その際、ラインＬにおいて各列を構成する複数の反射素子２３４ｓは、ラインＬが延びる方向に互いに密着した状態で配置されており、また、互いに隣接する列相互間においてラインＬが延びる方向に半ピッチずれた状態で互いに密着しした状態で配置されている。
【０１２７】
これによりラインＬは、各反射素子３３４ｓの外径Ｄの５倍弱の幅Ｗを有するとともに各反射素子３３４ｓの外径Ｄの半分のピッチＰで複数の反射素子３４ｓが配置されたものとなっている。その際、幅Ｗを上記第１実施形態の場合と同じ値に設定しようとした場合には、各反射素子３３４ｓの外径Ｄを上記第１実施形態の場合に対して１／５程度の値に設定すればよい。
【０１２８】
本変形例のように、複数の反射素子３３４ｓがラインＬ上において上記所要方向と交差する方向に５個ずつ並列に並んだ状態で配置され、かつ、互いに隣接する列相互間において複数の反射素子３３４ｓがラインＬが延びる方向に半ピッチずれた状態で配置された構成とすることにより、ラインＬがより一層均一な明るさでかつより一層明るく光って見えるようにすることができる。
【０１２９】
次に、上記第１実施形態の第４変形例について説明する。
【０１３０】
図１０（ｂ）は、本変形例に係る板状導光体の要部を示す、図４と略同様の図である。
【０１３１】
同図（ｂ）に示すように、本変形例の基本的な構成は上記第３変形例の場合と同様であるが、本変形例においては、各反射素子４３４ｓの表面形状が凹楕円球面状に設定されている点で上記第３変形例の場合と異なっている。
【０１３２】
その際、各反射素子４３４ｓは、ラインＬが延びる方向と直交する方向に長い楕円形状を有しており、いずれも同一サイズで形成されている。
【０１３３】
本変形例のように、各反射素子４３４ｓがラインＬが延びる方向と直交する方向に長い楕円形状を有する構成とすることにより、上記第３変形例の場合よりもラインＬがさらに均一な明るさでかつさらに明るく光って見えるようにすることができる。
【０１３４】
次に、本願発明の第２実施形態について説明する。
【０１３５】
図１１は、本実施形態に係る灯具ユニット５２０を示す側面図である。
【０１３６】
本実施形態に係る灯具ユニット５２０も、車両の右後端部に配置されるテールランプに組み込まれる灯具ユニットであって、上下１対の導光ユニット５３０Ａ、５３０Ｂと上下１対の光源５４０とを備えており、上下対称の構成を有している。
【０１３７】
各導光ユニット５３０Ａ、５３０Ｂは、透明樹脂製（例えばアクリル樹脂製）の部材であって、板状導光体５３２と棒状導光体５３４とが一体的に形成された構成となっている。
【０１３８】
まず、上側に位置する導光ユニット５３０Ａの構成について説明する。
【０１３９】
板状導光体５３２は、平板状に形成されており、その左端部から右端部へ向けて灯具後方側へ傾斜するとともに、その下端部から上端部へ向けて灯具後方側へ傾斜した状態で配置されている。この板状導光体５３２は、一定の上下幅および一定の左右幅で形成されているが、その左下端部には左方向へ張り出す張出し部５３２ｃが形成されている。
【０１４０】
棒状導光体５３４は、円柱状に形成されており、板状導光体５３２の上端縁に沿って水平方向に直線状に延びている。この棒状導光体５３４の左端面は板状導光体５３２の左端面と面一で形成されているが、その右端面５３４ａは板状導光体５３２の右端面よりも右側に位置している。
【０１４１】
板状導光体５３２の前面を構成する第２板面５３２ａは平面状に形成されているが、その後面を構成する第１板面５３２ｂには複数の反射素子５３２ｓおよび複数の補助反射素子５３２ｓ１が形成されている。その際、複数の反射素子５３２ｓおよび複数の補助反射素子５３２ｓ１は、所要方向に延びるラインＬに沿ってそれぞれ連続的に並んだ状態で配置されている。
【０１４２】
上記所要方向は板状導光体５３２の下端部から上端部へ向かう斜め上方向に設定されており、ラインＬは板状導光体５３２の下端縁近傍から上端縁近傍まで直線状に延びている。このラインＬは、上記所要方向と交差する水平方向に略等間隔をおいて複数本（例えば５本程度）配置されている。これら複数本のラインＬは、板状導光体５３２の下端部において左方向へ湾曲した状態で合流し、単一のラインとして張出し部５３２ｃまで水平方向に延びている。
【０１４３】
なお、各ラインＬ上における複数の反射素子５３２ｓおよび複数の補助反射素子５３２ｓ１の具体的な配置やその具体的な形状については後述する。
【０１４４】
上側に位置する光源５４０は、導光ユニット５３０Ａの棒状導光体５３４の右端面５３４ａの近傍に配置されている。この光源５４０は、赤色発光ダイオードであって、その発光面を棒状導光体５３４の右端面５３４ａへ向けた状態で基板５４４に搭載されている。
【０１４５】
棒状導光体５３４は、その右端面５３４ａから入射した光源５４０からの光を、その周面で全反射させながらその左端面へ向けて導く過程で、その一部を板状導光体５３２に入射させるようになっている。
【０１４６】
そして、板状導光体５３２においては、棒状導光体５３４から入射した光を、該板状導光体５３２の下端部へ向けて導きながら、その第１板面５３２ｂに形成された複数の反射素子５３２ｓおよび複数の補助反射素子５３２ｓ１で全反射させて、その第２板面５３２ａから灯具前方へ向けて出射させるようになっている。
【０１４７】
下側に位置する導光ユニット５３０Ｂも、上側に位置する導光ユニット５３０Ａと同様の構成を有している。
【０１４８】
そして、上下１対の導光ユニット５３０Ａ、５３０Ｂは、導光ユニット５３０Ａの板状導光体５３２の下端面と導光ユニット５３０Ｂの板状導光体５３２の上端面とが突き合わされた状態で、接着や溶着等によって一体化されている。
【０１４９】
図１２（ａ）は、図１１のXIIa部（すなわち下側に位置する導光ユニット５３０Ｂにおける板状導光体５３２の要部）を灯具後方側から見て示す図である。また、図１２（ｂ）は、図１２（ａ）のｂ−ｂ線断面図であり、図１２（ｃ）は、図１２（ａ）のｃ−ｃ線断面図である。
【０１５０】
図１２（ａ）に示すように、板状導光体５３２の第１板面５３２ｂに形成された複数の反射素子５３２ｓおよび複数の補助反射素子５３２ｓ１は、ラインＬに沿って３列でそれぞれ連続的に並んだ状態で配置されている。
【０１５１】
その際、ラインＬに沿って配置された複数の補助反射素子５３２ｓ１は、ラインＬに沿って配置された複数の反射素子５３２ｓによって両側から挟まれた状態で配置されている。
【０１５２】
両側の各列を構成する複数の反射素子５３２ｓは、ラインＬ上において互いに密着した状態で配置されている。
【０１５３】
各反射素子５３２ｓは、上記第１実施形態の反射素子３４ｓと同様、凹球面状の表面形状を有しており、その外周縁形状は同一サイズの円形形状に設定されている。
【０１５４】
一方、中央の列を構成する複数の補助反射素子５３２ｓ１は、図１２（ｂ）に示すように、ラインＬが延びる方向に関して階段状に形成されており、ラインＬ上において互いに略密着した状態で配置されている。
【０１５５】
各補助反射素子５３２ｓ１は、ラインＬが延びる方向に長い長方形の外形形状を有しており、その長辺の長さは反射素子５３２ｓの直径の２倍程度の値に設定されている。そして、各補助反射素子５３２ｓ１は、第１板面５３２ｂよりも下向きに傾斜した平面に沿って形成された傾斜平面部５３２ｓ１ａを有している。
【０１５６】
図１２（ｂ）、（ｃ）に示すように、下側に位置する導光ユニット５３０Ｂの板状導光体５３２においては、その下端縁に連結された棒状導光体５３４から入射した光源５４０からの光が、上向きに（すなわち板状導光体５３２の上端縁へ向けて）導かれ、その途中で各反射素子５３２ｓや各補助反射素子５３２ｓ１に到達する。
【０１５７】
その際、図１２（ｃ）に示すように、各反射素子５３２ｓに到達した光は、その凹球面状の表面において全反射により拡散反射し、第２板面５３２ａから灯具前方へ向けて大きく拡散する光として出射する。
【０１５８】
一方、図１２（ｂ）に示すように、各補助反射素子５３２ｓ１に到達した光は、その傾斜平面部５３２ｓ１ａにおいて全反射により正反射し、第２板面５３２ａから灯具前方へ向けて平行光に近い指向性を有する光として出射する。
【０１５９】
次に、本実施形態の作用効果について説明する。
【０１６０】
本実施形態に係る灯具ユニット５２０は、上下１対の導光ユニット５３０Ａ、５３０Ｂを備えているが、その板状導光体５３２の第１板面５３２ｂには、所要方向に延びるラインＬに沿って複数の反射素子５３２ｓが連続的に並んだ状態で配置されるとともに、これらと隣接する位置において複数の補助反射素子５３２ｓ１がラインＬに沿って連続的に並んだ状態で配置されており、これら複数の補助反射素子５３２ｓ１はラインＬが延びる方向に関して階段状に形成されているので、次のような作用効果を得ることができる。
【０１６１】
すなわち、板状導光体５３２の第１板面５３２ｂには複数の補助反射素子５３２ｓ１がラインＬに沿って連続的に並んだ状態で追加配置されているので、板状導光体５３２に入射した光源５４０からの光が各補助反射素子５３２ｓ１で全反射して第２板面５３２ａから灯具前方へ向けて出射する際、その出射光に指向性を持たせることができ、これにより車両用灯具としての配光性能を高めることが容易に可能となる。
【０１６２】
その際、複数の補助反射素子５３２ｓ１は、ラインＬに沿って配置された複数の反射素子５３２ｓと隣接する位置においてラインＬに沿って配置されているので、灯具点灯時にあたかも光ファイバーが光って見えるようにするという意匠上の演出効果を維持した上で、車両用灯具としての配光性能を高めることができる。
【０１６３】
また本実施形態においては、ラインＬに沿って配置された複数の補助反射素子５３２ｓ１が、ラインＬに沿って配置された複数の反射素子５３２ｓによって両側から挟まれた状態で配置されているので、灯具点灯時にあたかも光ファイバーが光って見えるようにするという意匠上の演出効果を高めた上で、車両用灯具としての配光性能を高めることができる。
【０１６４】
本実施形態のように、ラインＬに沿って連続的に並んだ状態で配置された複数の反射素子５３２ｓと隣接する位置において複数の補助反射素子５３２ｓ１がラインＬに沿って連続的に並んだ状態で配置された構成を、上記第１実施形態の灯具ユニット２０に適用することも可能であり、これにより本実施形態と同様の作用効果を得ることができる。
【０１６５】
上記第２実施形態においては、棒状導光体５３４が円柱状に形成されているものとして説明したが、その外周面に複数の反射素子が長手方向に連続的に形成された構成とすることも可能である。
【０１６６】
上記第２実施形態においては、板状導光体５３２が平板状に形成されているものとして説明したが、曲面に沿って形成された構成とすることも可能である。
【０１６７】
上記第２実施形態においては、各補助反射素子５３２ｓ１が傾斜平面部５３２ｓ１ａを有しているものとして説明したが、傾斜平面部５３２ｓ１ａの代わりに第１板面５３２ｂよりも下向きに傾斜した曲面に沿って形成された傾斜曲面部を有する構成することも可能である。このようにした場合には、板状導光体５３２の第２板面５３２ａからの出射光の指向性は弱まるが配光ムラの発生を抑制することができる。
【０１６８】
次に、上記第２実施形態の第１変形例について説明する。
【０１６９】
図１３（ａ）は、本変形例に係る板状導光体の要部を示す、図１２（ａ）と同様の図である。
【０１７０】
図１３（ａ）に示すように、本変形例の基本的な構成は上記第２実施形態の場合と同様であるが、本変形例においては、ラインＬに沿って配置された複数の補助反射素子６３２ｓ１を挟むようにしてラインＬに沿って配置された複数の反射素子６３２ｓの両側にさらに複数の反射素子６３２ｓが１列ずつ追加配置されている点で上記第２実施形態の場合と異なっている。
【０１７１】
その際、追加配置された各列を構成する複数の反射素子６３２ｓは、その内側に配置された複数の反射素子６３２ｓに対してラインＬが延びる方向に半ピッチずれた状態で配置されている。
【０１７２】
本変形例のように、複数の反射素子６３２ｓがラインＬ上においてラインＬに沿って配置された複数の補助反射素子６３２ｓ１を挟むようにして２列で配置された構成とすることにより、ラインＬがより一層均一な明るさでかつより一層明るく光って見えるようにすることができる。
【０１７３】
その際、追加配置された各列を構成する複数の反射素子６３２ｓは、その内側の列を構成する複数の反射素子６３２ｓに対してラインＬが延びる方向に半ピッチずれた状態で配置されているので、ラインＬ上に複数の反射素子６３２ｓが追加配置されたことによってラインＬの幅が広くなってしまうのを抑制することができる。
【０１７４】
次に、上記第２実施形態の第２変形例について説明する。
【０１７５】
図１３（ｂ）は、本変形例に係る板状導光体の要部を示す、図１２（ａ）と同様の図である。
【０１７６】
図１３（ｂ）に示すように、本変形例の基本的な構成は上記第２実施形態の場合と同様であるが、本変形例においては、複数の補助反射素子７３２ｓ１がラインＬに沿って２列で配置されており、各列の複数の補助反射素子７３２ｓ１を挟むようにして複数の反射素子７３２ｓがラインＬに沿って３列で配置された構成となっている点で上記第２実施形態の場合と異なっている。
【０１７７】
本変形例のように、複数の補助反射素子７３２ｓ１がラインＬに沿って２列で配置された構成とすることにより、板状導光体から灯具前方へ向けて出射する指向性を持った光の量を増大させることができ、これにより車両用灯具としての配光性能を一層高めることができる。
【０１７８】
また本変形例においては、各列の複数の補助反射素子７３２ｓ１を挟むようにして複数の反射素子７３２ｓがラインＬに沿って３列で配置されているので、灯具点灯時にあたかも光ファイバーが光って見えるようにするという意匠上の演出効果についても一層高めることができる。
【０１７９】
次に、上記第２実施形態の第３変形例について説明する。
【０１８０】
図１３（ｃ）は、本変形例に係る板状導光体の要部を示す、図１２（ａ）と同様の図である。
【０１８１】
図１３（ｃ）に示すように、本変形例の基本的な構成は上記第２実施形態の場合と同様であるが、本変形例においては、ラインＬに沿って配置された複数の補助反射素子８３２ｓ１と、これらを挟むようにしてラインＬに沿って配置された複数の反射素子８３２ｓとが、ラインＬが延びる方向に半ピッチずれた状態で配置されている点で上記第２実施形態の場合と異なっている。
【０１８２】
また本変形例においては、各補助反射素子８３２ｓ１が菱形の角が取れた略菱形の外形形状を有している点においても上記第２実施形態の場合と異なっている。その際、上記略菱形において対向する辺の間の幅は各反射素子８３２ｓの直径よりもやや大きい値に設定されている。
【０１８３】
複数の補助反射素子８３２ｓ１は、上記第２実施形態の場合と同様、ラインＬが延びる方向に関して階段状に形成されており、各補助反射素子８３２ｓ１は傾斜平面部８３２ｓ１ａを有している。
【０１８４】
本変形例においては、複数の補助反射素子８３２ｓ１と複数の反射素子８３２ｓとがラインＬが延びる方向に半ピッチずれた状態で配置された構成とするため、複数の補助反射素子８３２ｓ１はラインＬ上において互いに略密着した状態で配置されている一方、複数の反射素子８３２ｓはラインＬが延びる方向に多少の間隔（具体的には各反射素子８３２ｓの直径の半分以下の値）をおいて配置されている。
【０１８５】
本変形例のように、ラインＬに沿って配置された複数の補助反射素子８３２ｓ１と、これらを挟むようにしてラインＬに沿って配置された複数の反射素子８３２ｓとが、ラインＬが延びる方向に半ピッチずれた状態で配置された構成とすることにより、ラインＬ上に複数の補助反射素子８３２ｓ１が追加配置されたことによってラインＬの幅が広くなってしまうのを抑制することができる。
【０１８６】
なお本変形例においては、複数の反射素子８３２ｓがラインＬが延びる方向に多少の間隔をおいて配置されているが、その間隔が各反射素子８３２ｓの直径の半分以下の値に設定されているので、複数の反射素子８３２ｓで全反射した光源からの光によって板状導光体が線状に光って見えるようにすることが可能である。
【０１８７】
次に、上記第２実施形態の第４変形例について説明する。
【０１８８】
図１４は、本変形例に係る灯具ユニット９２０を示す、図１１と同様の図である。
【０１８９】
本変形例の基本的な構成は上記第２実施形態の場合と同様であるが、本変形例においては、各導光ユニット９３０Ａ、９３０Ｂが板状導光体９３２のみで構成されており（すなわち上記第２実施形態の棒状導光体５３４は備えておらず）、各導光ユニット９３０Ａ、９３０Ｂの板状導光体９３２に対して、それぞれ２つの光源９４０からの光を直接入射させる構成となっている点で上記第２実施形態の場合と異なっている。
【０１９０】
すなわち、本変形例においても、各導光ユニット９３０Ａ、９３０Ｂの板状導光体９３２は、上記第２実施形態の板状導光体５３２と同様、その前面を構成する第２板面９３２ａは平面状に形成されており、その後面を構成する第１板面９３２ｂには複数の反射素子９３２ｓおよび複数の補助反射素子９３２ｓ１が形成されており、その左下端部には張出し部９３２ｃが形成されている。
【０１９１】
一方、上側に位置する導光ユニット９３０Ａにおいては、その板状導光体９３２の上側の端面９３２ｄの近傍に一定の間隔をおいて２つの光源９４０が配置された構成となっている。各光源９４０の構成は上記第２実施形態の光源５４０と同様であるが、その発光面を板状導光体９３２の端面９３２ｄへ向けた状態で共通の基板９４４に搭載されている。
【０１９２】
そして、板状導光体９３２の端面９３２ｄにおいて各光源９４０に対応する位置には、該光源９４０からの光を平行光に近い光として該板状導光体９３２に入射させるための光入射部９３２ｅが形成されている。
【０１９３】
この光入射部９３２ｅは、光源９４０の正面に近い領域において、該光源９４０からの光を板状導光体９３２の下端部側へ屈折させるようにして入射させる第１入射部９３２ｅ１と、この第１入射部９３２ｅ１の両側において光源９４０からの光を側方側へ屈折させるようにして入射させる１対の第２入射部９３２ｅ２と、各第２入射部９３２ｅ２から入射した光源９４０からの光を下端部側へ向けて全反射により内面反射させる１対の反射部９３２ｅ３とを備えた構成となっている。
【０１９４】
下側に位置する導光ユニット９３０Ｂおよび２つの光源９４０は、上側に位置する導光ユニット９３０Ａおよび２つの光源９４０を上下反転させた構成となっている。
【０１９５】
図１５は、図１４のXV−XV線断面図であって、（ａ）は補助反射素子９３２ｓ１の断面形状を示す図、（ｂ）は反射素子９３２ｓの断面形状を示す図である。
【０１９６】
図１５（ａ）、（ｂ）に示すように、下側に位置する導光ユニット９３０Ｂの板状導光体９３２においては、その下側の端面９３２ｄに形成された光入射部９３２ｅから入射した光源９４０からの光が、上向きに（すなわち板状導光体９３２の上端縁へ向けて）導かれ、その途中で各反射素子９３２ｓや各補助反射素子９３２ｓ１に到達する。
【０１９７】
その際、図１５（ｂ）に示すように、各反射素子９３２ｓに到達した光は、その凹球面状の表面において全反射により拡散反射し、第２板面９３２ａから灯具前方へ向けて大きく拡散する光として出射する。
【０１９８】
一方、図１５（ａ）に示すように、各補助反射素子９３２ｓ１に到達した光は、その傾斜平面部９３２ｓ１ａにおいて全反射により正反射し、第２板面９３２ａから灯具前方へ向けて平行光に近い指向性を有する光として出射する。
【０１９９】
本変形例の構成を採用した場合においても、板状導光体９３２に入射した光源９４０からの光が各補助反射素子９３２ｓ１で全反射して第２板面９３２ａから灯具前方へ向けて出射することにより車両用灯具としての配光性能を高めることが容易に可能となる。
【０２００】
また本変形例においても、複数の補助反射素子５３２ｓ１は複数の反射素子５３２ｓによって両側から挟まれた状態で配置されているので、灯具点灯時にあたかも光ファイバーが光って見えるようにするという意匠上の演出効果を高めた上で、車両用灯具としての配光性能を高めることができる。
【０２０１】
その際、本変形例においては、各導光ユニット９３０Ａ、９３０Ｂの板状導光体９３２に対して、それぞれ２つの光源９４０からの光を直接入射させる構成となっているので、灯具点灯時に光ファイバーがより明るく光って見えるようにすることができ、また、車両用灯具としての配光性能を一層高めることができる。
【０２０２】
次に、本願発明の第３実施形態について説明する。
【０２０３】
図１６は、本実施形態に係る灯具ユニットにおける板状導光体１０３０の要部を示す、図５と略同様の図である。
【０２０４】
本実施形態に係る灯具ユニットの基本的な構成は上記第１実施形態の場合と同様であるが、その板状導光体１０３０における各湾曲部１０３４の構成が上記第１実施形態の場合と一部異なっている。
【０２０５】
すなわち、本実施形態の板状導光体１０３０においても、各湾曲部１０３４の第１板面１０３４ｂに形成された複数の反射素子１０３４ｓは、複数のラインＬの各々に沿って１列で連続的に並んだ状態で、各ラインＬ上において互いに密着した状態で配置されている。
【０２０６】
ただし、本実施形態においては、各反射素子１０３４ｓが凸球面状の表面形状を有しており、その外周縁形状は同一サイズの円形形状に設定されている。
【０２０７】
図１６に示すように、下側に位置する湾曲部１０３４においては、光源４０（図１参照）からの光が上向きに導かれるとともに第２光源５０（図１参照）からの光が下向きに導かれ、これらの光が各反射素子１０３４ｓに到達する。その際、各反射素子１０３４ｓには、図１６に示す断面内の方向以外の方向からも光源４０および第２光源５０からの光が到達するので、これらの光は各反射素子１０３４ｓにおいてあらゆる方向に全反射する。
【０２０８】
したがって、本実施形態の構成を採用した場合においても、上記第１実施形態の場合と略同様の作用効果を得ることができる。
【０２０９】
なお、上記各実施形態およびその変形例において諸元として示した数値は一例にすぎず、これらを適宜異なる値に設定してもよいことはもちろんである。
【０２１０】
また、本願発明は、上記各実施形態およびその変形例に記載された構成に限定されるものではなく、これ以外の種々の変更を加えた構成が採用可能である。
【符号の説明】
【０２１１】
１０  車両用灯具
１２  ランプボディ
１４  透光カバー
１６  エクステンション部材
１６ａ、１８ａ  開口部
１８  カバー部材
２０、１２０  灯具ユニット
３０、１３０、２３０  板状導光体
３２  平板部
３２ａ  前端面
３２ｂ  後端面
３４、１３４、２３４  湾曲部
３４ａ  第２板面
３４ｂ、２３４ｂ  第１板面
３４ｃ  最先端部
３４ｃ１、１３４ｃ１  先端面
３４ｄ  左端面
３４ｓ、４２ｓ、５２ｓ、１３４ｓ、２３４ｓ、３３４ｓ、４３４ｓ  反射素子
４０、１４０  光源
４２、１４２  棒状導光体
４２ａ  右端面
４４、５４  基板
５０  第２光源
５２  第２棒状導光体
５２ａ  右端面
１３６  連結部
５２０、９２０  灯具ユニット
５３０Ａ、５３０Ｂ、９３０Ａ、９３０Ｂ  導光ユニット
５３２、９３２  板状導光体
５３２ａ、９３２ａ  第２板面
５３２ｂ、９３２ｂ  第１板面
５３２ｃ、９３２ｃ  張出し部
５３２ｓ、６３２ｓ、７３２ｓ、８３２ｓ、９３２ｓ  反射素子
５３２ｓ１、６３２ｓ１、７３２ｓ１、８３２ｓ１、９３２ｓ１  補助反射素子
５３２ｓ１ａ、８３２ｓ１ａ、９３２ｓ１ａ  傾斜平面部
５３４  棒状導光体
５３４ａ  右端面
５４０、９４０  光源
５４４、９４４  基板
９３２ｄ  端面
９３２ｅ  光入射部
９３２ｅ１  第１入射部
９３２ｅ２  第２入射部
９３２ｅ３  反射部
１０３０  板状導光体
１０３４  湾曲部
１０３４ｂ  第１板面
１０３４ｓ  反射素子
Ａ  間隔
Ｄ  外径
Ｌ  ライン
Ｐ  ピッチ
Ｒ  半径
Ｗ  幅
【図１】
2019164977.tif 000003
【図２】
2019164977.tif 000004
【図３】
2019164977.tif 000005
【図４】
2019164977.tif 000006
【図５】
2019164977.tif 000007
【図６】
2019164977.tif 000008
【図７】
2019164977.tif 000009
【図８】
2019164977.tif 000010
【図９】
2019164977.tif 000011
【図１０】
2019164977.tif 000012
【図１１】
2019164977.tif 000013
【図１２】
2019164977.tif 000014
【図１３】
2019164977.tif 000015
【図１４】
2019164977.tif 000016
【図１５】
2019164977.tif 000017
【図１６】
2019164977.tif 000018